(57)【特許請求の範囲】
【請求項１】
壁面開口に固定される取付け枠と、壁面に対して背面側となるボディ及び壁面に対して前面側となって屋内の電気器具からの電線が接続されることとなる栓刃挿入口が形成されたカバーとで構成され、ボディのカバーと反対側の面に給電用の給電線の先端部に設けられた接続体がハーネス接続される接続部を一体に形成しているコンセントにおいて、上記接続部が、ボディの一端縁から所定寸法離れた位置に側面部が開放される側面開口を備えると共にこの側面開口から上記接続体が差し込まれてハーネス接続がされる差し込み筒によって形成され、上記接続体の係止部に着脱自在に係止される被係止部を操作するための操作部を上記差し込み筒に設け、ボディとカバーの側壁面にそれぞれ設けられた係止突起を取付け枠の係止フックに係止することで取付け枠に取付けられて成ることを特徴とするコンセント。
【発明の詳細な説明】
【０００１】
【産業上の利用分野】
本発明は、マンション等の屋内配線用に用いられるコンセントに関するものである。
【０００２】
【従来の技術】
マンション等では間取りのパターンが大体決まっていることが多く、このためコンセントやスイッチ等の配線器具の設置位置等も大体決まる。そこで、従来では配線器具の設置位置に応じて工場等で予め給電線を所定の長さに切断し、その給電線同士の接続までを工場で予め行っておき、現場では給電線の配線器具との接続だけを行うようにしていた。
【０００３】
【発明が解決しようとする課題】
ところが、上記のような従来の屋内配線においては、配線器具に形成してある挿入孔に段剥き等により被覆を剥がした給電線の芯線を挿入して、配線器具への給電線の接続を行うようにしてあったため、現場での給電線の接続時には給電線に段剥き等の加工を行なう必要があって、現場での屋内配線作業に手間がかかるという問題があり、昨今のように電気工事士が不足する現状では大きな問題となっていた。
【０００４】
本発明は上述の点に鑑みて為されたものであり、その目的とするところは、結線作業が容易で、部屋の間取りの変更や配線器具の設置箇所の変更等に容易に対応できるコンセントを提供することにある。
【０００５】
【課題を解決するための手段】
本発明では、上記目的を達成するために、壁面開口に固定される取付け枠１０と、壁面に対して背面側となるボディ１２及び壁面に対して前面側となって屋内の電気器具からの電線が接続されることとなる栓刃挿入口１が形成されたカバー１３とで構成され、ボディ１２のカバー１３と反対側の面に給電用の給電線２の先端部に設けられた接続体３がハーネス接続される接続部４を一体に形成しているコンセントＡにおいて、上記接続部４が、ボディ１２の一端縁から所定寸法離れた位置に側面部が開放される側面開口２０ａを備えると共にこの側面開口２０ａから上記接続体３が差し込まれてハーネス接続がされる差し込み筒２０によって形成され、上記接続体３の係止部に着脱自在に係止される被係止部を操作するための操作部２１を上記差し込み筒２０に設け、ボディ１２とカバー１３の側壁面にそれぞれ設けられた係止突起１２ａ，１３ａを取付け枠１０の係止フック１０ａに係止することで取付け枠１０に取り付けられて、コンセントＡを形成するようにしたものである。
【０００６】
【作用】
しかして、現場でのコンセントＡへの給電線２の接続作業は、給電線２の先端に設けられた接続体３を背面側に設けられた接続部４にハーネス接続するだけで行なうことができ、現場での接続作業を手間取ることなく容易に行なうことができる。
【０００７】
【実施例】
本発明におけるコンセントＡは、図３に示されるような屋内配線時に用いられるものであり、この屋内配線は分電盤からの電源ケーブル５と複数本の給電線２とが接続されるゾーンプルボックス６を屋内の各所（例えば屋内の各ゾーン毎）に設けて構成されている。ここで、ゾーンプルボックス６は目立たないように例えば天井裏等に設置されている。ゾーンプルボックス６より所定方向に向けて導出される給電線２の両端にはハーネスコネクタ７及びハーネスプラグ８等の接続体３が取付けられている。
【０００８】
上記ゾーンプルボックス６は、各種のものをブロック化し、それら各ブロックを連結して一体化してある。ここで、その一例を説明すると、例えば図３中のブロック６ａは電源ラインを３分岐して送り配線するもので、ゾーンプルボックス６より導出された給電線２の分岐端には配線器具としてのコンセントＡが接続されている。
【０００９】
このコンセントＡは、図２に示されるように壁面開口に固着具にて固定される取付け枠１０と、導電板１１を内蔵したボディ１２とカバー１３とで構成されるコンセント本体１４とで主体が構成されている。コンセント本体１４はボディ１２とカバー１３とで構成されており、ボディ１２とカバー１３との間に導電板１１を収納した状態でボディ１２とカバー１３の側壁面に設けられた係止突起１２ａ，１３ａを取付け枠１０の係止フック１０ａに係止することで取付け枠１０に取付けられている。
【００１０】
導電板１１は、導電板本体１１ａの両端に刃受け部１５を備えると共に導電板本体１１ａより上方に向けて栓刃部１６を突設して構成されている。カバー１３には導電板１１を構成する導電板本体１１ａが収納保持される凹状の取付け部１７が設けられており、取付け部１７の側方には導電板本体１１ａの両端に設けられた刃受け部１５が挿入される挿入口１８が設けられている。１９はカバー１３に取付けられる一対の導電板１１を仕切るための仕切り板である。
【００１１】
そして、挿入口１８に刃受け部１５が挿入配置された状態で前面側に屋内の電気器具からの電線が接続されることとなる栓刃挿入口１が形成されている。
ボディ１２の上面には側面部が開放されるコ字状の差し込み筒２０が設けられており、ボディ１２とカバー１３との間に収納配置される導電板１１は、栓刃部１６が差し込み筒２０内に配置されるようになっており、これによって給電線２の先端部に設けられた接続体３がハーネス接続される接続部４が背面側に一体に形成されている。図１に接続部４への接続体３の接続状態を示している。差し込み筒２０の上面には接続体３に設けられた係止部（図示せず）に着脱自在に係止される被係止部（図示せず）を操作するための操作部２１が設けられており、接続部４に差し込み接続される接続体３は差し込みによってハーネス接続されるものであり、外す場合には操作部２１を操作して係止部と被係止部との係止を解除することで外すことができるようになっている。
【００１２】
また、ブロック６ｂは、送り配線、負荷接続用の配線器具及びこの負荷２２の制御用のスイッチ２３を夫々接続するもので、負荷２２が天井に設けられる照明器具となっており、負荷接続用の配線器具としては引掛シーリング２４を用いてあり、部屋の入口のドア２５の近傍に設けたスイッチ２３により照明器具をオン，オフする場合に用いてある。
【００１３】
さらに、ブロック６ｃは、負荷接続用の配線器具及びこの負荷２２の制御用の複数のスイッチ２３を夫々接続するもので、負荷２２が壁に設けられたベッド照明としての照明器具となっており、負荷接続用の配線器具としては照明器具を接続するコンセントＡを用いてあり、スイッチ２３は部屋の入口のドア２５の近傍に設けられた上記天井の照明器具の操作用のスイッチ２３と連設して設けられたものと、ベッド２６の近傍の壁面に設けられたものとを用いてあり、所謂３路回路を構成することにより、いずれのスイッチ２３によってもベッド照明をオン，オフできるようにする場合に用いてある。
【００１４】
上記ゾーンプルボックス６の各ブロック６ａ〜６ｃは、一端面にハーネスプラグ８と同じ構造となった１つの接続部を備えると共に、他端面にハーネスコネクタ７と同じ構造の１つの接続部を備えている。そして、上記夫々の接続部の間は直結されている。つまり、電源ケーブル５の一対の電源線と接地線とが夫々接続部の備える３極の端子に連結されている。さらに、各ブロック６ａ〜６ｃの両端面には夫々ハーネスコネクタ７と同じ構造の２つの接続部を備え、各ブロック６ａ〜６ｃの内部ではこれら接続部の端子に上述した用途に応じて電源ケーブル５から供給される電力を分岐して供給してある。なお、ゾーンプルボックス６の接続部の構造は周知のハーネスコネクタ７及びハーネスプラグ８の構造から容易に理解されるので詳細な説明は省略する。
【００１５】
ここで、１つのブロック（本実施例の場合にはブロック６ａ）の接続部には電源ケーブル５の先端に取り付けられたハーネスコネクタ７が着脱自在に接続され、この接続部に対応する上面に設けられたロック体によりハーネスコネクタ７の抜けを防止する構造になっており、ロック体の操作でハーネスコネクタ７を外すこともできる構造となっている。
【００１６】
そして、その他のブロック６ｂ，６ｃの接続部には夫々ブロック６ａ，６ｂの他端面の接続部が接続され、これにより各ブロックが一体に連結され、電源ケーブル５からの電力がブロック６ｂ，６ｃに供給される。
ところで、この種の屋内配線においては誤配線を行う恐れがある。そこで、本実施例のゾーンプルボックス６の接続部６ｂ、給電線２のハーネスコネクタ７とハーネスプラグ８等の接続体３及びコンセントＡに設けられる接続部４は使用用途に応じて形状の異なるものを使用してある。このようにすれば、現場における誤配線を防止できる。
【００１７】
本実施例のようにゾーンプルボックス６を用いると、給電線２とコンセントＡ等の配線器具をハーネス接続で接続でき、従来のようにケーブルの段剥きなどの作業を伴う配線器具と給電線２との接続を行わずに済み、配線器具との接続も容易となり、結線作業も容易となる。つまり、部屋の間取りや配線器具の設置箇所が決まっているマンションなどにおいて、予め決まった長さの給電線２を用意しておきさえすれば、現場では接続体３と接続部４との接続を行うだけでよいので、結線作業が容易となるのである。
【００１８】
ところで、上述の説明においては天井配線により屋内配線を行う場合について説明したが、本発明は事務所などで適用されるいわゆるシステムフロアと呼ばれる二重床構造の床などを用いた床配線や壁面を用いた配線などにも適用でき、さらにはＯＡパネル等の什器内の内部配線にも応用することができる。
【００１９】
【発明の効果】
本発明のコンセントは上述のように、壁面開口に固定される取付け枠と、壁面に対して背面側となるボディ及び壁面に対して前面側となって屋内の電気器具からの電線が接続されることとなる栓刃挿入口が形成されたカバーとで構成され、ボディのカバーと反対側の面に給電用の給電線の先端部に設けられた接続体がハーネス接続される接続部を一体に形成しているコンセントにおいて、上記接続部が、ボディの一端縁から所定寸法離れた位置に側面部が開放される側面開口を備えると共にこの側面開口から上記接続体が差し込まれてハーネス接続がされる差し込み筒によって形成され、上記接続体の係止部に着脱自在に係止される被係止部を操作するための操作部を上記差し込み筒に設け、ボディとカバーの側壁面にそれぞれ設けられた係止突起を取付け枠の係止フックに係止することで取付け枠に取付けられているので、給電線の先端に設けられた接続体を壁面に対して背面側に設けられた接続部にハーネス接続するだけで結線作業を完了することができるものであり、従来のようにケーブルの段剥き等を行なう必要がなくなり現場での接続作業を手間取ることなく容易に行なうことができるものである。
しかも、上記接続部は、ボディの一端縁から所定寸法離れた位置に側面部が開放される側面開口を備えた差し込み筒によって形成されていることにより、この接続部に接続体をハーネス接続するにあたっては、ボディのカバーと反対側の面に接続体を当接させ、この接続体を差し込み筒の側面開口に向けて摺動させて側面開口から差し込み筒内に差し込めばよく、ボディのカバーと反対側の面によって接続体をガイドすることができ、接続部に対する接続体の接続を容易に行うことができるものである。
また、上記接続体の係止部に着脱自在に係止される被係止部を操作するための操作部を上記差し込み筒に設けていることにより、係止部と被係止部との係止によって接続体と接続部との接続を確実なものとすることができると共に、接続体と接続部との着脱を自在に行うことができ、接続部への接続体の接続を解除することで部屋の間取りの変更や配線器具の設置場所の変更に容易に対応させることもできるものである。
また、ボディとカバーの側壁面にそれぞれ設けられた係止突起を取付け枠の係止フックに係止することにより、ボディとカバーを別々に取付け枠に取付ける必要がなく、ボディとカバーを一体にして取付け枠に取付けることができ、コンセントの組立を迅速に行うことができるものである。
さらに、コンセントを取付け枠で壁面開口に固定するにあたって、給電線が接続される接続部がコンセントの背面側に配置されることにより、接続部やこれに接続される給電線を屋内から見えなくすることができると共に、背面側に備えられている接続部は壁面側から離れているものであって、この接続部に対して接続体を容易にハーネス接続することができるものである。
【図面の簡単な説明】
【図１】本発明の一実施例を示す斜視図である。
【図２】同上の分解斜視図である。
【図３】同上の屋内配線方法を示す説明図である。
【符号の説明】
１  栓刃挿入口
２  給電線
３  接続体
４  接続部
１０  取付け枠
１０ａ  係止フック
１２  ボディ
１２ａ  係止突起
１３  カバー
１３ａ  係止突起
２０  差し込み筒
２０ａ  側面開口
２１  操作部
Ａ  コンセント
【図１】
0003629037.tif 000002
【図２】
0003629037.tif 000003
【図３】
0003629037.tif 000004